(57)【要約】【課題】  本発明は、内部メモリと外部メモリの操作をより簡便かつ容易にする、画像撮像装置を提供することを目的とする。【解決手段】  本発明の撮像装置は、撮像装置からファイル操作可能なメモリを有する外部メモリユニットとの接続を行なう接続手段と、ユーザが撮像装置に指示を与えるための操作手段と、内部メモリ及び外部メモリユニット内のメモリのいずれに記録されている画像ファイルを操作対象とするかを操作手段によって選択させるユーザインタフェースを表示する表示手段と、ユーザインタフェースを介して選択されたメモリに記録されている画像ファイルを操作対象として、操作手段を介して指示されたファイル操作を実行する制御手段と、を備えることを特徴とする。【選択図】図４
2006157679.tif 000002
【特許請求の範囲】
【請求項１】
内部メモリを有する撮像装置であって、
前記撮像装置からファイル操作可能なメモリを有する外部メモリユニットとの接続を行なう接続手段と、
ユーザが撮像装置に指示を与えるための操作手段と、
前記内部メモリ及び前記外部メモリユニット内のメモリのいずれに記録されている画像ファイルを操作対象とするかを前記操作手段によって選択させるユーザインタフェースを表示する表示手段と、
前記ユーザインタフェースを介して選択されたメモリに記録されている画像ファイルを操作対象として、前記操作手段を介して指示されたファイル操作を実行する制御手段と、
を備えることを特徴とする撮像装置。
【請求項２】
前記外部メモリユニットの接続を検知する検知手段をさらに有し、
前記検知手段が前記外部メモリユニットの接続を検知した場合にのみ前記表示手段が前記ユーザインタフェースを表示し、
前記検知手段が前記外部メモリユニットの接続を検知しない場合、前記制御手段は前記撮像装置が有する内部メモリを操作対象とすることを特徴とする、請求項１に記載の撮像装置。
【請求項３】
前記検知手段が前記外部メモリユニットの接続を検知した時点で、前記表示手段が前記ユーザインタフェースを表示することを特徴とする請求項２に記載の撮像装置。
【請求項４】
前記外部メモリユニットが前記メモリ以外のメモリを着脱可能な構成を有し、
さらに、前記外部メモリユニットが有するメモリに関する情報を取得するメモリ情報取得手段を有し、
前記表示手段が、前記メモリ情報取得手段が取得した前記外部メモリユニットが有するメモリに関する情報に従って、前記ユーザインタフェースから選択可能なメモリを変更させることを特徴とする、請求項１乃至請求項３のいずれか１項に記載の撮像装置。
【請求項５】
前記ファイル操作が、前記画像ファイルの表示、コピー、削除の少なくとも１つを含むことを特徴とする、請求項１乃至請求項４のいずれか１項に記載の撮像装置。
【請求項６】
前記外部メモリユニットが前記撮像装置の電源を充電する機能を有するクレードルであることを特徴とする請求項１乃至請求項５のいずれか１項に記載の撮像装置。
【請求項７】
内部メモリと、ファイル操作可能なメモリを有する外部メモリユニットとの接続を行なう接続手段とを有する撮像装置の制御方法であって、
前記内部メモリ及び前記外部メモリユニット内のメモリのいずれに記録されている画像ファイルを操作対象とするかをユーザに選択させるユーザインタフェースを表示する表示工程と、
前記ユーザインタフェースを介して選択されたメモリに記録されている画像ファイルを操作対象として、ユーザに指示されたファイル操作を実行する実行工程と、
を備えることを特徴とする撮像装置の制御方法。
【請求項８】
前記撮像装置に前記外部メモリユニットが接続されたことを検知する工程をさらに有し、前記接続の検知が行なわれた際に前記表示工程を実行することを特徴とする、請求項７に記載の撮像装置の制御方法。
【請求項９】
前記外部メモリユニットが前記撮像装置の電源を充電する機能を有するクレードルであることを特徴とする請求項７又は８に記載の撮像装置の制御方法。
【発明の詳細な説明】
【技術分野】
【０００１】
本発明は、撮像装置及びその制御方法に関し、特に、外部メモリユニット内のメモリを制御する機能を備える撮像装置及びその制御方法に関するものである。
【背景技術】
【０００２】
例えば電子カメラ（デジタルスチルカメラ）のような、現在使われている撮像装置の多くは、撮影した画像や音声を格納するための内蔵又は着脱可能な記憶媒体を有している。そして、記憶媒体に格納された画像や音声を電子カメラ本体に装備された表示装置やスピーカー、あるいは外部接続されたビデオ再生装置等を用いて再生可能である。また、記憶媒体内の画像や音声を外部の記憶媒体（コンピュータに搭載されているハードディスク等を含む）へ転送する機能も備えている。
【０００３】
また、持ち運びやすさ、操作性が重視される電子カメラにおいては、着脱可能な記憶媒体を装着可能なメディアスロットを１個のみ備えるものが多数であるが、異なった規格の記憶媒体に対応するため、あるいは記憶媒体間でのデータコピー機能を提供するために、メディアスロットを複数個備えているものもある。
【０００４】
また、撮影した画像や音声の、外部記憶媒体への転送に関しては、例えば電子カメラとコンピュータを接続し、電子カメラ又はコンピュータからデータ転送の操作を行なうものがある。また、特許文献１（特開２００２−３７４４４７号公報）において提案されているように、記録メディアユニット・表示装置・操作部を有するクレードルに電子カメラを接続し、電子カメラ内のデータをクレードルから操作する方法も存在する。
【特許文献１】特開２００２−３７４４４７号公報
【発明の開示】
【発明が解決しようとする課題】
【０００５】
しかしながら、電子カメラをコンピュータに接続し、記憶媒体からコンピュータの記憶装置へデータ転送を行なう方法では、コンピュータの起動や転送準備処理等、コンピュータ側での煩雑な操作をユーザに強いることになる。
【０００６】
また、特許文献１において提案されている方法は、記録メディアユニット・表示装置・操作部といった高機能なクレードルを用いるものであり、記録・表示能力の乏しい電子カメラとの組み合わせにおいては有効であるが、前述のように、現在入手可能な多くの電子カメラは、表示装置や操作部を有し充分に高性能・高機能である。したがって、特許文献１に開示されるような高性能で高価なクレードルを使用する必要性は少ない。
【０００７】
本発明はこのような状況に鑑みてなされたものであり、内蔵又は装着された記憶媒体（内部メモリ）と外部記憶媒体（外部メモリ）をより簡便かつ容易に操作可能な撮像装置及びその制御方法を提供することを目的とする。
【課題を解決するための手段】
【０００８】
上記課題を解決するために、本発明に係る内部メモリを有する撮像装置は、撮像装置からファイル操作可能なメモリを有する外部メモリユニットとの接続を行なう接続手段と、ユーザが撮像装置に指示を与えるための操作手段と、内部メモリ及び外部メモリユニット内のメモリのいずれに記録されている画像ファイルを操作対象とするかを操作手段によって選択させるユーザインタフェースを表示する表示手段と、ユーザインタフェースを介して選択されたメモリに記録されている画像ファイルを操作対象として、操作手段を介して指示されたファイル操作を実行する制御手段と、を備えることを特徴とする。
【０００９】
なお、その他の本発明の特徴は、添付図面及び以下の発明を実施するための最良の形態の記載によっていっそう明らかになるものである。
【発明の効果】
【００１０】
以上の構成により、本発明によれば、内部メモリと外部メモリの操作が簡便かつ容易な撮像装置及びその制御方法を実現することができる。
【発明を実施するための最良の形態】
【００１１】
以下、添付図面を参照して、本発明の好適な実施形態を説明する。なお、以下の実施形態では本発明の撮像装置の実施形態としての電子カメラを説明するが、他の撮像装置に対して本発明を適用することも可能である。
＜第１の実施形態＞
＜電子カメラの構成＞
図１Ａは、本発明の各実施形態に共通する電子カメラ１００の構成を示すブロック図である。
【００１２】
電子カメラ１００は、撮像レンズ１０、絞り機能を備えるシャッター１２、光学像を電気信号に変換する撮像素子１４、撮像素子１４のアナログ信号出力をデジタル信号に変換するＡ／Ｄ変換器１６、デジタルの画像データをアナログ信号に変換するＤ／Ａ変換器２６を有する。
【００１３】
タイミング発生回路１８は撮像素子１４、Ａ／Ｄ変換器１６、Ｄ／Ａ変換器２６にクロック信号や制御信号を供給し、メモリ制御回路２２及びシステム制御回路５０により制御される。
【００１４】
画像処理回路２０は、Ａ／Ｄ変換器１６又はメモリ制御回路２２からのデータに対して所定の画素補間処理や色変換処理を行なう。
【００１５】
また、画像処理回路２０は、撮像した画像データを用いて所定の演算処理を行ない、得られた演算結果に基づいてシステム制御回路５０が露光制御部４０、測距制御部４２に対して制御を行なう、ＴＴＬ（スルー・ザ・レンズ）方式のＡＦ（オートフォーカス）処理、ＡＥ（自動露出）処理、ＥＦ（フラッシュプリ発光）処理を行なう。
【００１６】
さらに、画像処理回路２０は、撮像した画像データを用いて所定の演算処理を行ない、得られた演算結果に基づいてＴＴＬ方式のＡＷＢ（オートホワイトバランス）処理も行なう。
【００１７】
メモリ制御回路２２は、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。Ａ／Ｄ変換器１６のデータが画像処理回路２０、メモリ制御回路２２を介して、又はＡ／Ｄ変換器１６のデータが直接メモリ制御回路２２を介して、画像表示メモリ２４又はメモリ３０に書き込まれる。
【００１８】
画像表示部２８はＴＦＴ  ＬＣＤ等からなり、画像表示メモリ２４に書き込まれた表示用の画像データはＤ／Ａ変換器２６を介して画像表示部２８に表示される。なお、画像表示部２８を用いて撮像した画像データを逐次表示すれば、電子ファインダー機能を実現することが可能である。
【００１９】
また、画像表示部２８は、システム制御回路５０の指示により任意に表示をＯＮ／ＯＦＦすることが可能であり、表示をＯＦＦにした場合には電子カメラ１００の電力消費を大幅に低減することが出来る。
【００２０】
メモリ３０は撮影した画像を格納し、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行なうことが可能となる。また、メモリ３０はシステム制御回路５０の作業領域としても使用することが可能である。
【００２１】
画像圧縮・伸長回路３２は適応離散コサイン変換（ＡＤＣＴ）等により画像データを圧縮伸長する回路であり、メモリ３０に格納された画像を読み込んで圧縮処理又は伸長処理を行ない、処理を終えたデータをメモリ３０に書き込む。
【００２２】
露光制御部４０は絞り機能を備えるシャッター１２を制御し、フラッシュ４８と連携することにより、フラッシュ調光機能も有する。
【００２３】
測距制御部４２は撮像レンズ１０のフォーカシングを制御し、ズーム制御部４４は撮像レンズ１０のズーミングを制御し、バリア制御部４６はバリアである保護部１０２の動作を制御する。
【００２４】
フラッシュ４８は、ＡＦ補助光の投光機能、フラッシュ調光機能も有する。
【００２５】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行なう。
【００２６】
システム制御回路５０は電子カメラ１００全体を制御し、メモリ５２は後述するカメラ内メモリや外部メモリユニット内メモリの操作に関する処理を含むシステム制御回路５０の動作用の定数、変数、プログラム等を記憶する。
【００２７】
通知部５４はシステム制御回路５０でのプログラムの実行に応じて、文字、画像、音声等を用いて動作状態やメッセージ等を通知するものであり、電子カメラ１００の操作部７０近辺の視認し易い位置に単数又は複数設置され、例えばＬＣＤやＬＥＤ、発音素子等の組み合わせにより構成されている。また、通知部５４は、その一部の機能が光学ファインダー１０４内に設置されている。
【００２８】
通知部５４の通知内容のうち、ＬＣＤ等に表示するものとしては、単写／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記憶媒体２１０及び記憶媒体２１０の着脱状態表示、日付・時刻表示、等がある。
【００２９】
また、通知部５４の通知内容のうち、光学ファインダー１０４内に表示するものとしては、合焦表示、手振れ警告表示、フラッシュ充電表示、シャッタースピード表示、絞り値表示、露出補正表示、等がある。
【００３０】
不揮発性メモリ５６は、例えばＥＥＰＲＯＭ等の電気的に消去・記録可能なメモリが用いられる。
【００３１】
モードダイアルスイッチ６０、シャッタースイッチ(SW1)６２、シャッタースイッチ(SW2)６４、画像表示ＯＮ／ＯＦＦスイッチ６６、クイックレビューＯＮ／ＯＦＦスイッチ６８及び操作部７０は、システム制御回路５０の各種の動作指示を入力するためのものであり、スイッチやダイアル、タッチパネル、視線検知によるポインティング、音声認識装置等の単数又は複数の組み合わせで構成される。具体的には、次のような機能を持つ。
【００３２】
モードダイアルスイッチ６０は、電源オフ、自動撮影モード、撮影モード、パノラマ撮影モード、再生モード、マルチ画面再生・消去モード、ＰＣ接続モード等の各機能モードの切り替えを行なう。
【００３３】
シャッタースイッチ(SW1)６２は、不図示のシャッターボタンの押下途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３４】
シャッタースイッチ(SW2)６４は、不図示のシャッターボタンの押下完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、画像圧縮・伸長回路３２で圧縮を行ない、記憶媒体２００又は記憶媒体２１０に画像データを書き込む記録処理という、一連の処理の動作開始を指示する。
【００３５】
画像表示ＯＮ／ＯＦＦスイッチ６６は、画像表示部２８のＯＮ／ＯＦＦを設定する。この機能により、光学ファインダー１０４を用いて撮影を行なう際に、ＴＦＴ  ＬＣＤ等からなる画像表示部２８への電流供給を遮断することにより、省電力を図ることが可能となる。
【００３６】
クイックレビューＯＮ／ＯＦＦスイッチ６８は、撮影直後に、撮影した画像データを自動再生するクイックレビュー機能を設定する。また、画像表示部２８をＯＦＦとした場合におけるクイックレビュー機能の設定をする機能も備える。
【００３７】
操作部７０は各種ボタンやタッチパネル等からなり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像削除ボタン、画像削除取消しボタン等がある。
【００３８】
電源制御部８０は、電池検出回路、ＤＣ−ＤＣコンバータ、通電するブロックを切り替えるスイッチ回路等により構成されており、電源８６の電池装着の有無、電池の種類、電池残量の検出を行ない、検出結果及びシステム制御回路５０の指示に基づいてＤＣ−ＤＣコンバータを制御し、必要な電圧を必要な期間、記録媒体を含む各部へ供給する。
【００３９】
電源８６はアルカリ電池やリチウム電池等の一次電池やNiCd電池やNiMH電池、Li電池等の二次電池、ＡＣアダプター等からなり、コネクタ８２及びコネクタ８４を介して電源制御部８０に接続する。
【００４０】
インタフェース９０及びインタフェース９４はそれぞれ記憶媒体２００及び記憶媒体２１０とのインタフェース、コネクタ９２及びコネクタ９６はそれぞれ記憶媒体２００及び記憶媒体２１０と接続を行なうコネクタであり、記録媒体着脱検知部９８はコネクタ９２及び／又はコネクタ９６にそれぞれ記憶媒体２００及び撮像レンズ１０記憶媒体２１０が装着されているか否かを検知する。
【００４１】
なお、本実施形態では記録媒体を取り付けるインタフェース及びコネクタを２系統持つものとして説明しているが、記録媒体を取り付けるインタフェース及びコネクタは、単数又は複数、いずれの系統数を備える構成としても構わない。また、異なる規格のインタフェース及びコネクタを組み合わせて備える構成としても構わない。インタフェース及びコネクタは、例えば、ＰＣＭＣＩＡカードやＣＦ（コンパクトフラッシュ（登録商標））カード等の規格に準拠したものを用いて構成することができる。
【００４２】
また、インタフェース９０及びインタフェース９４、そしてコネクタ９２及びコネクタ９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送しあう構成にすることも可能である。
【００４３】
保護部１０２は、電子カメラ１００の撮像レンズ１０を覆う事により、汚れや破損を防止する。
【００４４】
光学ファインダー１０４を利用すれば、画像表示部２８による電子ファインダー機能を使用することなく、撮影を行なうことが可能である。また、光学ファインダー１０４内には、通知部５４の一部の機能、例えば、合焦表示、手振れ警告表示、フラッシュ充電表示、シャッタースピード表示、絞り値表示、露出補正表示などが設置されている。
【００４５】
通信部１１０は、ＲＳ２３２ＣやＵＳＢ、ＩＥＥＥ１３９４、Ｐ１２８４、ＳＣＳＩ、モデム、ＬＡＮ、無線通信、等の各種通信機能を有する。コネクタ１１２は通信部１１０により電子カメラ１００を外部メモリユニットをはじめとする他の機器と接続する際に用いる。なお、通信部１１０が無線通信による場合は、コネクタ１１２の代わりにアンテナを設置する。
【００４６】
カメラ内メモリとしての記憶媒体２００は、半導体メモリや磁気ディスク等からなる記録部２０２、電子カメラ１００とのインタフェース２０４、電子カメラ１００と接続を行なうコネクタ２０６から構成される。
【００４７】
また、もう一つのカメラ内メモリとしての記憶媒体２１０は、半導体メモリや磁気ディスク等からなる記録部２１２、電子カメラ１００とのインタフェース２１４、電子カメラ１００と接続を行なうコネクタ２０６から構成される。
図１Ｂは、電子カメラ１００の斜視図である。図１Ａで説明したうち、画像表示部２８、モードダイアルスイッチ６０、シャッタースイッチ(SW1)６２、シャッタースイッチ(SW2)６４、画像表示ＯＮ／ＯＦＦスイッチ６６、操作部７０、コネクタ１１２が表されている。
【００４８】
操作部７０はさらに、ＳＥＴボタン７０−１、ＭＥＮＵボタン７０−２、ＥＲＡＳＥボタン７０−３、十字ボタン７０−４から構成される。
【００４９】
ＳＥＴボタン７０−１は、ＭＥＮＵボタン７０−２の操作により表示されるメニューの決定等に使用される。ＭＥＮＵボタン７０−２は、撮影パラメタやカメラの設定を変更するためのメニュー画面をＯＮ／ＯＦＦするためのボタンである。このメニュー画面は、画像表示部２８に表示される。ＥＲＡＳＥボタン７０−３は、メニュー画面で選択した画像を削除するためのボタンである。十字ボタン７０−４は、メニュー画面での項目の移動などを行なったり、再生モードでは左右のボタンを押して画像送りを行なったりするのに使用する。
【００５０】
＜メモリ操作＞
以下、上述の構成を有する本実施形態の電子カメラにおけるメモリ操作について説明する。
【００５１】
図２（ａ）は、電子カメラ１００に接続可能な外部メモリユニットとしてのクレードル３００の構成を示す図である。クレードル３００は、接続された電子カメラ１００の電源８６が二次電池である場合に、この電源８６への充電を行うための装置である。また、クレードル３００は、メモリ（不図示）を内蔵し、コネクタ３０６と電子カメラ１００のコネクタ１１２を接続することにより、通信制御部３０４が通信制御を行ない、電子カメラ１００から、メモリ制御部３０２を介して、クレードル３００内のメモリ（不図示）の制御を行なう。また、クレードル３００は、通信ケーブル３０８を介してパソコン等の外部機器に接続し、データの転送を行なうことが可能である。
【００５２】
図２（ｂ）はクレードル３００の斜視図である。コネクタ３０６に、電子カメラ１００のコネクタ１１２を接続することにより、電子カメラ１００からクレードル３００内のメモリ制御が可能となる。
【００５３】
図３は、電子カメラ１００とクレードル３００を接続した図である。ユーザは、電子カメラ１００の操作部７０から、電子カメラ１００内メモリ（以下、単に「カメラ内メモリ」ともいう）とクレードル３００内メモリのいずれを操作対象とするかを切り替え、各メモリの画像データの表示や削除、各メモリ間の画像データの転送を行なうことが可能である。
【００５４】
図４は、電子カメラ１００とクレードル３００を接続し、メモリを操作する際、画像表示部２８に表示される画面の例を示すものである。図４に示すように、本実施形態の電子カメラ１００は操作部７０の操作によって階層的なメニューを選択することで各種設定や処理を指示するＧＵＩを採用している。図４では、再生メニュー画面（図４（ａ））と、再生メニュー画面からメモリ選択メニューの選択に応じて表示されるメモリ選択画面（図４（ｂ））を示している。メモリ選択画面は内部メモリである電子カメラ１００内メモリすなわち記憶媒体２００及び記憶媒体２１０と、外部メモリユニット内メモリであるクレードル３００内メモリとのどちらを操作対象とするかを切り替える（選択する）ための画面である。また、図４（ｃ）〜（ｆ）はクレードル３００内メモリを操作対象とした場合に可能な各種操作に対応した画面を示している。なお、本実施形態において「電子カメラ１００内メモリ」とは、記憶媒体２００及び記憶媒体２１０を意味するが、電子カメラ１００に内蔵もしくは装着しうる記憶媒体であればこれ以外であっても構わない。
【００５５】
ＭＥＮＵボタン７０−２が押されると、システム制御回路５０はメモリ制御回路２２を介して、画像表示部２８に図４（ａ）に示す再生メニュー画面を表示する。ここで十字ボタン７０−４の上下ボタンで「メモリ選択」項目を選択し、ＳＥＴボタン７０−１が押されると、画像表示部２８に図４（ｂ）に示すメモリ選択画面を表示する。なお、システム制御回路５０は、再生メニュー画面におけるメモリ選択項目を、クレードル３００の接続が検知された時のみ表示する項目であり、非接続時には表示しない。このため、電子カメラ１００が外部メモリユニットに接続されていない場合は、メモリの切り替えを意識することなく、電子カメラを扱えるという利点がある。
【００５６】
図４（ｂ）に示すメモリ選択画面では、電子カメラ１００内メモリ（「カメラ」）とクレードル３００内メモリ（「クレードル」）のどちらを操作対象とするかをユーザが選択可能である。ここで「クレードル」が選択されると、システム制御回路５０は、図４（ｃ）に示すように、クレードル３００内メモリに記録されている画像を読み出し、画像表示部２８に表示する。この際、現在操作しているメモリを明示する情報を合わせて表示する（図４（ｃ）における右上の「クレードル」表示）。ここでＥＲＡＳＥボタン７０−３が押されると、図４（ｄ）に示すように、画像表示部２８に、クレードル３００内メモリから表示されている画像を削除するかどうかの確認画面を表示し、削除が選択されると、システム制御回路５０からコネクタ１１２、コネクタ３０６及び通信制御部３０４を通じてメモリ制御部３０２へ削除指示が与えられ、これに応答してメモリ制御部３０２が現在表示されている画像をクレードル３００内メモリから削除する。
【００５７】
また、本実施形態では一例として、メモリ選択を行ない、画像を表示しているときの十字ボタン７０−４の上ボタンをコピーボタンと定義する。上ボタンすなわちコピーボタンが押されると、図４（ｅ）に示すように、画像表示部２８に、クレードル３００内メモリの、現在表示されている画像のみを電子カメラ１００内メモリへコピーするか、又は、クレードル３００内メモリの全画像を電子カメラ１００内メモリへコピーするかどうかの確認画面を表示する。ＳＥＴボタン７０−１が押されると、システム制御回路５０からコネクタ１１２、コネクタ３０６及び通信制御部３０４を通じてメモリ制御部３０２へコピー指示が与えられる。これに応答してメモリ制御部３０２は選択された項目の内容に従って現在表示されている画像又はクレードル３００内メモリの全画像を、コネクタ３０６及びコネクタ１１２を介して電子カメラ１００に転送する。電子カメラ１００のシステム制御回路５０は、転送された画像を記憶媒体２００又は記憶媒体２１０に記録し、コピーが完了する。
削除画面（図４（ｄ））又はコピー画面（図４（ｅ））でキャンセルが選択された状態でＳＥＴボタン７０−１が押されると、画像表示部２８に、元の画像である図４（ｃ）に示すものを表示する。また、図４（ｆ）に示すように、十字ボタン７０−４の右ボタンまたは左ボタンが押されると、画像表示部２８に、クレードル３００内メモリに記録されている画像データを順に表示する。
【００５８】
また、図４（ｂ）に示すメモリ選択画面において、「カメラ」が選択され、操作対象として電子カメラ１００内メモリが選択された場合は、記憶媒体２００又は記憶媒体２１０から画像を読み出して画像表示部２８へ表示する。その後の削除操作、コピー操作については対象となる画像がカメラ内メモリに記録されている画像となる以外はクレードル内メモリを操作対象とした場合と基本的に同等の動作を行なう。ただし、画面右上における操作対象メモリを表す表示は「カメラ」となる。このように、ユーザは、クレードル内メモリを操作対象として選択した場合と同じ要領で電子カメラ１００内メモリの操作が可能となり、また、電子カメラ１００内メモリの画像データを、クレードル３００内メモリへコピーすることも可能となる。
【００５９】
なお、再生メニューからＭＥＮＵボタン７０−２の押下により「メモリ選択」項目が選択された際に図４（ｂ）に示すメモリ選択画面を表示する代わりに、電子カメラ１００がクレードル３００に接続されたことをシステム制御回路５０が検知する機能を有し、接続を検知した時点で、自動的に画像表示部２８に図４（ｂ）のメモリ選択画面を表示する構成にすることも可能である。
【００６０】
図５は、コピー操作処理に関するフローチャートである。前述のように、図４（ｂ）におけるメモリ選択画面で、ユーザが「クレードル」すなわちクレードル３００内メモリを選択した場合（Ｓ１００１）、システム制御回路５０は画像表示部２８に図４（ｃ）に示すような外部メモリユニット内メモリの画像データを表示する（Ｓ１００２）。ユーザがコピーボタン（ここでは、十字ボタン７０−４の上ボタン）を押すと、システム制御回路５０は画像表示部２８に図４（ｅ）に示すようなコピーの確認画面を表示する。ここでユーザが、現在表示している画像のみをコピーする「画像をカメラへコピー」を選択すると（Ｓ１００３）、メモリ制御部３０２は表示画像を電子カメラ１００内メモリへコピーする（Ｓ１００４）。また、図４（ｂ）に示す画面で、ユーザが「カメラ」すなわち電子カメラ１００内メモリを選択した場合、システム制御回路５０は画像表示部２８に電子カメラ１００内メモリの画像データを表示し（Ｓ１００５）、同様にユーザが現在表示している画像のコピーを選択すると（Ｓ１００６）、システム制御回路５０は表示画像をクレードル３００内メモリへコピーする（Ｓ１００７）。
【００６１】
なお、本実施形態では外部メモリユニットの例としてクレードル３００を用いたが、電子カメラ１００から画像を読み出したり、削除したりすることが可能であれば、外部メモリユニットの種類は制限されない。したがって、例えばハードディスクドライブを用いた外部メモリユニットを用いても良い。
【００６２】
以上説明したように、本実施形態によれば、撮像装置において、操作対象とするメモリを内部メモリと外部メモリとの間で容易に切り替え又は選択可能としたので、撮像装置の操作によりカメラ内メモリ、外部メモリユニット内メモリを簡便かつ容易に操作することができる。また、撮像装置が外部メモリユニットに接続されていない状態では操作対象となるメモリを選択又は切り替えるためのメニューを表示しないため、ユーザは外部メモリユニットが接続されていない場合にはわざわざ操作対象メモリをカメラ内メモリと指定する必要がない。したがって、撮像装置単体での操作性を損なうこともない。
【００６３】
＜第２の実施形態＞
第１の実施形態では、クレードル３００は内蔵メモリを有するのみであったが、第２の実施形態では、図６に示すように、ＣＦ（コンパクトフラッシュ（登録商標））カードやＳＤカードなどのメモリカードスロット３１０を有することを特徴とする。なお、本実施形態において、電子カメラ１００の構成は第１の実施形態と同様でよいため、その説明を省略する。
この場合、図２（ａ）の構成において、メモリカードスロット３１０が追加され、メモリカードスロット３１０に装着されたメモリカードの有無検知やアクセスはメモリ制御部３０２が行なう。これにより、電子カメラ１００から、メモリ制御部３０２との通信によって、外部メモリユニット内メモリに加え、メモリカードスロット３１０に挿入したメモリカード３１２内の画像データの表示や削除、電子カメラ１００内メモリとメモリカード３１２間の画像データのコピー等を行なうことが可能となる。
【００６４】
また、電子カメラ１００内メモリがＣＦ（コンパクトフラッシュ（登録商標））カードであり、メモリカードスロット３１０がＳＤカードスロットであった場合などは、ＣＦ（コンパクトフラッシュ（登録商標））カードとＳＤカードという異なるメモリカード間で画像データのコピーを行なうことが可能となる。
【００６５】
さらに、クレードル３００が、複数のメモリカードスロットを有する構成も可能であり、複数のメモリカードスロットは、ＣＦ（コンパクトフラッシュ（登録商標））カードとＳＤカードなどのように、異なるメモリカードを扱うものであってもよい。
【００６６】
本実施形態では例えば、クレードル３００の接続検知時にシステム制御回路５０がメモリ制御部３０２からメモリカードスロット３１０に装着されたメモリカードの種別や数についての情報を取得する。そして、図４（ｂ）のメモリ選択メニューを表示する際に、「カメラ、クレードル、ＣＦカード」のように、メモリカードスロット３１０に装着されたメモリカードの種別、数に応じて操作対象となるメモリを選択する項目の表示を変更する。
【００６７】
以上説明したように、本実施形態においては、クレードル３００が１つ以上のメモリカードスロットを有する。そのため、第１の実施形態によって達成される効果に加え、より柔軟なメモリ間データコピー機能をユーザに提供することが可能となる。
【００６８】
＜その他の実施形態＞
上述した各実施の形態の処理は、各機能を具現化したソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６９】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）などが実際の処理の一部又は全部を行ない、その処理によって前述した各実施の形態の機能が実現される場合も含まれている。
【００７０】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行ない、その処理によって前述した各実施の形態の機能が実現される場合も含むものである。
【図面の簡単な説明】
【００７１】
【図１Ａ】本発明の各実施形態に共通する電子カメラの構成ブロック図である。
【図１Ｂ】本発明の各実施形態に共通する電子カメラの斜視図である。
【図２】本発明の実施形態で用いるクレードルの構成ブロック図及び斜視図である。
【図３】本発明の電子カメラとクレードルを接続した状態を示す図である。
【図４】本発明の電子カメラの画像表示部の表示例を示す図である。
【図５】本発明の電子カメラから、クレードル内メモリと電子カメラ内メモリ間の画像データのコピー処理を示す、フローチャートである。
【図６】本発明の電子カメラと接続するクレードルが、メモリカードスロットを有したときの図である。
【符号の説明】
【００７２】
１００：電子カメラ
２００：記録媒体
２１０：記録媒体
３００：クレードル
【図１Ａ】
2006157679.tif 000003
【図１Ｂ】
2006157679.tif 000004
【図２】
2006157679.tif 000005
【図３】
2006157679.tif 000006
【図４】
2006157679.tif 000007
【図５】
2006157679.tif 000008
【図６】
2006157679.tif 000009